(57)【要約】【課題】携帯電話機の通信待機モードを確実かつ簡易に設定できる携帯電話機、および、携帯電話機の通信待機モード設定システムを提供すること。【解決手段】携帯電話機３は、報知手段３９，４０による報知動作が設定された通信待機モードを複数備え、複数の通信待機モードのうちいずれかが指定されるモード指定領域内に携帯電話機３が存在するか否かを検出する領域検出手段３１１と、モード指定領域内に存在することが検出されると、外部から入力する電波信号を受信して、電波信号から通信待機モードを切り替えるモード切替信号を抽出するモード切替信号受信手段３１２と、抽出したモード切替信号に基づいて、複数の通信待機モードのうちいずれかに設定するモード設定手段３２６とを備える。これにより、電波信号を携帯電話機３が受信することによって、携帯電話機３は、電波信号に含まれるモード切替信号に基づく通信待機モードに設定できる。【選択図】  図１
2006332804.tif 000002
【特許請求の範囲】
【請求項１】
外部から電波信号を受信する電波受信手段と、当該電波信号に含まれる音声信号に応じた音声を出力する音声出力手段と、音声を取得する音声取得手段と、取得した音声に応じた音声信号を含む電波信号を生成して外部に出力する電波送信手段と、外部からの通信要求を報知する報知手段と、装置全体を制御する制御手段とを備えた携帯電話機であって、
前記報知手段による報知動作が規定された通信待機モードを複数備え、
前記複数の通信待機モードのうちいずれかが指定されるモード指定領域内に当該携帯電話機が存在するか否かを検出する領域検出手段と、
前記モード指定領域内に存在することが検出されると、外部から電波信号を受信して、当該電波信号から前記通信待機モードを切り替えるモード切替信号を抽出するモード切替信号受信手段と、
抽出した前記モード切替信号に基づいて、通信待機モードを、前記複数の通信待機モードのうちいずれかに設定するモード設定手段とを備えることを特徴とする携帯電話機。
【請求項２】
請求項１に記載の携帯電話機において、
前記電波受信手段で受信される電波信号と、前記モード切替信号受信手段で受信される電波信号とは別系統とされていることを特徴とする携帯電話機。
【請求項３】
請求項２に記載の携帯電話機において、
電波信号を送受信する通信部と、前記通信部を制御する制御部と、前記制御部に駆動電力を供給する電源部とを有する無線ＩＣチップを備え、
前記モード切替信号受信手段は、前記通信部であることを特徴とする携帯電話機。
【請求項４】
請求項３に記載の携帯電話機において、
前記領域検出手段は、前記モード指定領域内の電波信号を受信して、当該電波信号から駆動電力を生成する前記電源部であることを特徴とする携帯電話機。
【請求項５】
請求項３または請求項４に記載の携帯電話機において、
前記通信部は、前記電源部から駆動電力が供給されると、前記モード切替信号を要求する要求信号を送信することを特徴とする携帯電話機。
【請求項６】
請求項３から請求項５のいずれかに記載の携帯電話機において、
前記無線ＩＣチップは、前記モード切替信号と、前記複数の通信待機モードのうち前記モード切替信号が示す通信待機モードに設定させる設定情報とが対応して記憶された記憶部を備え、
前記制御部は、前記通信部で受信した前記モード切替信号に基づく前記設定情報を前記記憶部から取得して、前記制御手段に対して、前記取得した設定情報に基づくモード設定信号を生成出力することを特徴とする携帯電話機。
【請求項７】
請求項６に記載の携帯電話機において、
前記制御手段は、
前記モード設定信号が入力すると、当該モード設定信号が指定する通信待機モードへの変更前までに設定されていた通信待機モードの種別を保持するモード保持手段と、
前記保持された通信待機モードの種別に基づいて、通信待機モードを前記種別に対応する通信待機モードに復帰させるモード復帰手段とを備えることを特徴とする携帯電話機。
【請求項８】
請求項１から請求項５のいずれかに記載の携帯電話機において、
前記制御手段は、
前記通信部を介して入力する前記モード切替信号の入力回数を計数する計数手段を備え、
前記モード設定手段は、前記計数手段による計数結果に基づいて、通信待機モードを前記複数の通信待機モードのうちいずれかに設定することを特徴とする携帯電話機。
【請求項９】
請求項１から請求項８のいずれかに記載の携帯電話機と、当該携帯電話機に前記モード切替信号を含む電波信号を送信する通信部、および、装置全体を制御する制御部を有する電波出力装置とを備えることを特徴とする携帯電話機の通信待機モード設定システム。
【発明の詳細な説明】
【技術分野】
【０００１】
本発明は、携帯電話機と、携帯電話機および当該携帯電話機に電波信号を送信して、携帯電話機の通信待機モードを設定させる携帯電話機の通信待機モード設定システムに関する。
【背景技術】
【０００２】
従来、アンテナを介して外部から電波信号を受信して当該電波信号に含まれる音声情報に基づく通話音声をスピーカ等の音声出力手段を介して出力し、マイク等の音声取得手段により取得した音声に基づく音声信号を含む電波信号を生成して外部に出力する通信手段と、通信要求があったことを報知する報知手段と、装置全体を制御する制御手段とを備えた携帯電話機が知られている。このような携帯電話機として、報知手段の報知動作が規定された複数の通信待機モードが設定されているものが知られており、この通信待機モードに基づいて、制御手段が報知手段の動作を制御する。なお、報知手段として、一般的には、着信音を鳴らすスピーカや、振動を発生させるモータが知られている。
【０００３】
このような通信待機モードとしては、例えば、ノーマルモード、マナーモード、サイレントモード、ドライブモード等が挙げられる。ノーマルモードとは、使用者が設定した音量で着信音を鳴らしたり、振動を発生させたりするモードである。マナーモードは、着信音を鳴らさずに、振動のみを発生させるモードである。サイレントモードは、着信音および振動を発生させないモードである。ドライブモードは、着信音および振動を生じずに、着信履歴だけを残すモードである。
【０００４】
これらのような通信待機モードは、場所等に応じて使用者がその都度設定する必要があり面倒であった。また、設定のし忘れ等により、着信音の発生が不適切な場所で着信音が鳴るなどして周囲の人に不快感を与えるという問題があった。
このような問題に対して、携帯電話機の通信待機モードを自動的に設定する携帯電話機が知られている（例えば、特許文献１参照）。
【０００５】
この特許文献１に記載の携帯電話機は、例えば、ＧＰＳ（Global Positioning System）等により当該携帯電話機の位置情報を取得し、ネットワークサーバから当該携帯電話機が位置する地域近辺の判断基準時間を取得して、判断基準時間内に１つの基地局から隣接する他の基地局へ移動した場合に、当該携帯電話機の使用者が電車に乗っていると判断して、マナーモードに設定するものである。このような携帯電話機によれば、マナーモードに設定する際の使用者の煩わしさを解消することができるとともに、設定のし忘れがなくなるため、周囲の人々に不快感を与えるということを防ぐことができる。
【０００６】
【特許文献１】特開２００４−３６４０６１号公報
【発明の開示】
【発明が解決しようとする課題】
【０００７】
しかしながら、特許文献１に記載の携帯電話機では、基地局またはＧＰＳ衛星からの電波信号により当該携帯電話機が存在する位置情報を取得しているため、地下を通る電車の中に携帯電話機が位置している場合には、位置情報を取得しづらく、正確なマナーモード設定を行いづらいという問題がある。また、ネットワークサーバから取得した判断基準時間内に、ある基地局から他の基地局に移動した場合に、当該携帯電話機が電車内に存在すると判断するため、当該判断基準時間内に基地局の移動が生じないと、マナーモードの設定が正しく行われないという問題がある。さらに、判断基準時間リストを配信するためのネットワークサーバが必要となるため、構成が複雑化するだけでなく、運用コストが増大するという問題がある。
【０００８】
本発明の目的は、所定の領域内で携帯電話機の通信待機モードを確実に、かつ、簡易に設定することができる携帯電話機と、携帯電話機および当該携帯電話機に通信待機モードを設定させる電波信号を出力する電波出力装置を備えた携帯電話機の通信待機モード設定システムとを提供することである。
【課題を解決するための手段】
【０００９】
前記した目的を達成するために、本発明の携帯電話機は、外部から電波信号を受信する電波受信手段と、当該電波信号に含まれる音声信号に応じた音声を出力する音声出力手段と、音声を取得する音声取得手段と、取得した音声に応じた音声信号を含む電波信号を生成して外部に出力する電波送信手段と、外部からの通信要求を報知する報知手段と、装置全体を制御する制御手段とを備えた携帯電話機であって、前記報知手段による報知動作が規定された通信待機モードを複数備え、前記複数の通信待機モードのうちいずれかが指定されるモード指定領域内に当該携帯電話機が存在するか否かを検出する領域検出手段と、前記モード指定領域内に存在することが検出されると、外部から電波信号を受信して、当該電波信号から前記通信待機モードを切り替えるモード切替信号を抽出するモード切替信号受信手段と、抽出した前記モード切替信号に基づいて、通信待機モードを、前記複数の通信待機モードのうちいずれかに設定するモード設定手段とを備えることを特徴とする。
【００１０】
本発明によれば、領域検出手段がモード指定領域内に自己である携帯電話機が位置することを検出すると、モード切替信号受信手段が、モード指定領域内の電波信号を受信して、当該電波信号に含まれるモード切替信号を抽出する。この抽出されたモード切替信号に基づいて、モード設定手段が、報知手段の報知動作を規定する通信待機モードを設定する。これによれば、外部から入力する電波信号を受信して、当該電波信号に含まれるモード切替信号に応じた通信待機モードに設定することができるので、携帯電話機の通信待機モードを自動的に設定することができる。例えば、マナーモードを指定するモード切替信号を含む電波信号を携帯電話機に送信することにより、当該携帯電話機の通信待機モードを自動的にマナーモードに設定することができる。このため、電車および映画館等で報知手段による報知により周りの人々に不快感を与えることを防ぐことができる。従って、通信待機モードのモード設定を使用者が行う煩雑さを解消することができるとともに、通信待機モードの設定のし忘れを防ぐことができ、確実に、かつ、簡易に通信待機モードの設定を行うことができる。
【００１１】
本発明では、前記電波受信手段で受信される電波信号と、前記モード切替信号受信手段で受信される電波信号とは別系統とされていることが好ましい。
本発明によれば、通信に際して受信される電波信号と、通信待機モードの設定に際して受信される電波信号とが別系統とされていることにより、それぞれの電波信号が干渉することを防ぐことができ、これにより、確実に通信待機モードの設定を行うことができる。また、それぞれの電波信号を受信して行われる通信処理およびモード設定処理をそれぞれ別々に行うことができるので、処理の分散化を図ることができる。
【００１２】
本発明では、電波信号を送受信する通信部と、前記通信部を制御する制御部と、前記制御部に駆動電力を供給する電源部とを有する無線ＩＣチップを備え、前記モード切替信号受信手段は、前記通信部であることが好ましい。
本発明によれば、モード切替信号受信手段である無線ＩＣチップの通信部で受信される電波信号は、電波受信手段で受信される電波信号よりも微弱なので、通信待機モードを指定するモード指定領域を詳細に設定することができる。
ここで、基地局との通信時に受信される電波信号は比較的強いため、当該電波信号と通信待機モード設定に利用される電波信号とが同系列とされ、当該電波信号の届く範囲がモード指定領域とされている場合には、通信待機モードを指定するモード指定領域は非常に広くなってしまう。これに対し、通信待機モードの設定時に利用される電波信号を、無線ＩＣチップの通信部が受信する構成とすることにより、基地局との通信時に受信される電波信号より通信待機モード設定時に受信される電波信号を弱く設定することができ、局所的なモード指定領域を形成することができる。
【００１３】
本発明では、前記領域検出手段は、前記モード指定領域内の電波信号を受信して、当該電波信号から駆動電力を生成する前記電源部であることが好ましい。
本発明によれば、携帯電話機に設けられた無線ＩＣチップの電源部が、領域検出手段を兼ねることにより、確実に設定されたモード指定領域を検出することができる。
すなわち、モード切替信号を含む電波信号が届く範囲をモード指定領域として設定することができ、また逆に、当該電波信号を受信することで無線ＩＣチップが駆動してモード切替信号を受信することができる。従って、モード指定領域を確実に検出することができ、当該モード指定領域で指定される通信待機モードに確実に設定することができる。
また、無線ＩＣチップが、当該無線ＩＣチップを構成する電源部により生成した電力によって駆動するので、携帯電話機本体が備える電源を無線ＩＣチップの駆動に利用する必要性を無くすことができる。従って、携帯電話機本体の電源の負荷を軽減することができ、本発明の携帯電話機の省電力化を図ることができる。
【００１４】
本発明では、前記通信部は、前記電源部から駆動電力が供給されると、前記モード切替信号を要求する要求信号を送信することが好ましい。
本発明によれば、携帯電話機の種別に応じたモード切替信号を受信することができる。すなわち、携帯電話機の機種によってはサポートしている通信待機モードが異なる場合がある。このような場合でも、通信待機モードを設定する携帯電話機の機種を要求信号に含めて送信することにより、当該携帯電話機がサポートしている通信待機モードを指定するモード切替信号を受信することが可能となる。例えば、前述のドライブモードをサポートしていない携帯電話機に対しては、当該ドライブモードに代えてサイレントモードに設定させることができる。従って、携帯電話機に応じた通信待機モードに設定することができる。
また、要求信号を送信する際に、携帯電話機の固有の識別情報を送信するようにすれば、携帯電話機ごとに通信待機モードを設定することができる。
【００１５】
本発明では、前記無線ＩＣチップは、前記モード切替信号と、前記複数の通信待機モードのうち前記モード切替信号が示す通信待機モードに設定させる設定情報とが対応して記憶された記憶部を備え、前記制御部は、前記通信部で受信した前記モード切替信号に基づく前記設定情報を前記記憶部から取得して、前記制御手段に対して、前記取得した設定情報に基づくモード設定信号を生成出力することが好ましい。
本発明によれば、無線ＩＣチップの通信部で受信されたモード切替信号に応じたモード設定信号が、当該無線ＩＣチップの制御部で生成される。具体的には、無線ＩＣチップの制御部は、受信したモード切替信号に基づいて記憶部を参照して、当該モード切替信号に応じたモード設定信号を生成して制御手段に出力する。これによれば、無線ＩＣチップの制御部で、受信したモード切替信号に基づいて内部処理可能な形式のモード設定信号を生成するので、制御手段における信号変換処理を省略することができる。従って、制御手段における処理を軽減することができる。
また、制御手段が設定する通信待機モードに応じて無線ＩＣチップの記憶部に記憶された設定情報を変更することで、複数種類の通信待機モードに対応することができる。従って、異なる機種の携帯電話機に対しても、設定情報を変更した無線ＩＣチップを取り付けることにより、前述のようなモード切替信号による通信待機モードの設定が可能な携帯電話機を構成することができる。
【００１６】
本発明では、前記制御手段は、前記モード設定信号が入力すると、当該モード設定信号が指定する通信待機モードへの変更前までに設定されていた通信待機モードの種別を保持するモード保持手段と、前記保持された通信待機モードの種別に基づいて、通信待機モードを前記種別に対応する通信待機モードに復帰させるモード復帰手段とを備えることが好ましい。
本発明によれば、モード保持手段が、変更前の通信待機モードの種別を保持し、当該種別に基づいて、モード復帰手段が通信待機モードを復帰させる。これによれば、モード指定領域から外れた場合に、自動的に変更前の通信待機モードに復帰することができる。従って、使用者が変更前の通信待機モードに復帰させる手間を省くことができ、携帯電話機の利便性を一層向上することができる。
【００１７】
あるいは、本発明では、前記制御手段は、前記通信部を介して入力する前記モード切替信号の入力回数を計数する計数手段を備え、前記モード設定手段は、前記計数手段による計数結果に基づいて、通信待機モードを前記複数の通信待機モードのうちいずれかに設定することが好ましい。
本発明によれば、モード切替信号の入力回数に応じた通信待機モードに設定することができる。例えば、モード切替信号を奇数回受信した場合に、マナーモードに設定するとした場合、モード指定領域の入口および出口に、当該モード切替信号を送信する電波出力装置を配置しておけば、モード指定領域内では確実に指定したマナーモードに携帯電話機を設定することができる。また、当該モード指定領域を出る際には、携帯電話機は、再びモード切替信号を受信することとなるので、他の通信待機モード、例えば、マナーモードに設定される前の通信待機モードに復帰することが可能となる。従って、モード指定領域内では指定した通信待機モードに確実に設定でき、また、モード指定領域外では所定の通信待機モードに設定することができる。
【００１８】
また、本発明の携帯電話機の通信待機モード設定システムは、前述の携帯電話機と、当該携帯電話機に前記モード切替信号を含む電波信号を送信する通信部、および、装置全体を制御する制御部を有する電波出力装置とを備えることを特徴とする。
本発明によれば、前述の携帯電話機と同様の効果を奏することができる。
すなわち、電波出力装置の通信部から送信されるモード切替信号を受信することにより、当該モード切替信号に基づく通信待機モードに、携帯電話機の通信待機モードを自動的に切り替えることができる。従って、携帯電話機の通信待機モードを簡易に、かつ、確実に設定することができる。
【発明を実施するための最良の形態】
【００１９】
〔１．第１実施形態〕
以下、本発明の第１実施形態を図面に基づいて説明する。
（１）携帯電話システム１の構成
図１は、本発明の第１実施形態の携帯電話システムの構成を示すブロック図である。
本実施形態の携帯電話システム１は、本発明の携帯電話機の通信待機モード設定システムに相当し、携帯電話機に対して通信要求があった場合の報知動作を規定する通信待機モードを、当該携帯電話機の外部から設定可能としたシステムである。この携帯電話システム１は、図１に示すように、電波出力装置２と、携帯電話機３とを備えて構成されている。
【００２０】
（２）電波出力装置２の構成
電波出力装置２は、本実施形態では、電車内の座席２Ａに埋め込まれている。この電波出力装置２は、携帯電話機３と通信する通信部２１と、当該通信部２１を含む装置全体を制御する制御部２２とを備えている。
具体的に、通信部２１は、携帯電話機３に電波信号を出力するとともに、当該携帯電話機３から送信された電波信号を受信して、当該電波信号に応じた制御信号を制御部２２に出力する。この通信部２１による電波信号出力範囲は、電車内とされており、当該電車内が本発明のモード指定領域となる。なお、本実施形態では、電車内に電波出力装置２を設けたことにより、電車内がモード指定領域とされたが、例えば、映画館内に電波出力装置２を設置した場合は、当該映画館内がモード指定領域とされる。
また、制御部２２は、通信部２１から入力する制御信号に応じた処理を行うとともに、当該通信部２１により携帯電話機３に電波信号として出力される制御信号を生成して、通信部２１に出力する。
【００２１】
（３）携帯電話機３の構成
携帯電話機３は、図示しない基地局からの電波信号を受信して、当該電波信号に含まれる音声情報に基づく通話音声を出力するとともに、取得した使用者等の音声を電波信号に変換して当該基地局に送信するものであり、他の携帯電話機または固定電話機等と通信可能に構成されている。
この携帯電話機３は、ＲＦＩＤタグ（以下、「タグ」と略す場合がある）３１と制御回路３２と、操作パネル３３と、通信部３４と、音声取得部３５と、音声出力部３６と、電源部３７と、画像表示部３８と、振動発生部３９と、着信音出力部４０と、ＲＯＭ（Read Only Memory）４１と、ＲＡＭ（Random Access Memory）４２とを備えている。
【００２２】
このうち、操作パネル３３には、詳しい図示を省略するが、所定の動作を制御回路３２に指示する各種キーが配設されている。具体的には、電源キー、「０」〜「９」までの数字キー、通話開始／停止キーおよび通信待機モード設定キー等が配設されている。これらキーが入力されると、当該キー入力に応じた制御信号が、制御回路３２に出力される。
通信部３４は、本発明の電波受信手段および電波送信手段に相当し、アンテナを介して外部の基地局から入力する電波信号を受信して、当該電波信号を内部処理可能な制御信号に変換して制御回路３２に出力するとともに、制御回路３２から入力する制御信号に基づく電波信号を生成して基地局に送信する。また、この通信部３４は、外部から電波信号を受信すると、制御回路３２の後述する主制御部３２１に通信要求があったことを通知する信号を出力する。
【００２３】
音声取得部３５は、本発明の音声取得手段に相当し、通話時に使用者等の音声を取得するものであり、マイク等から構成されている。この音声取得部３５は、制御回路３２に電気的に接続されており、取得した音声に基づく音声信号を制御回路３２に出力する。
音声出力部３６は、本発明の音声出力手段に相当し、通話時に通信部３４を介して制御回路３２から入力する音声信号に基づく音声を出力するものであり、スピーカ等から構成されている。
電源部３７は、バッテリーおよび電源供給回路等から構成され、制御回路３２からの制御信号に応じて、携帯電話機３の各電子部品に駆動電力を供給する。
画像表示部３８は、液晶パネルおよび液晶駆動回路等から構成され、携帯電話機３の状態を表示する。具体的に、画像表示部３８には、入力した電話番号や、現在の通信待機モードの種別等が表示される。
【００２４】
振動発生部３９および着信音出力部４０は、本発明の報知手段に相当し、外部からの通信要求があった場合に、当該通信要求を使用者に報知するものである。
これらのうち、振動発生部３９は、モータ等から構成され、制御回路３２から入力する制御信号に応じてモータが回転することにより振動を発生して、使用者に通信要求を報知する。
また、着信音出力部４０は、スピーカおよび着信音生成回路から構成され、制御回路３２から入力する制御信号に応じて、予め使用者により設定された着信音を生成して、当該着信音を、スピーカを介して外部に出力する。
【００２５】
ＲＯＭ４１は、フラッシュメモリで構成され、制御回路３２で処理されるプログラムや各種データが記憶されている。このうち、データとしては、アドレス帳や現在設定されている通信待機モードが記憶されているほか、後述する通信待機モード設定処理ＳＡにおける変更前の通信待機モード等が記憶される。
ＲＡＭ４２は、制御回路３２がＲＯＭ４１に記憶されたプログラムおよびデータを処理する際に、当該プログラムおよびデータの一部もしくは全部が一時的に記憶される。
【００２６】
タグ３１は、本発明の無線ＩＣチップに相当し、電波出力装置２から送信される電波信号を受信して、当該電波信号に含まれるモード切替信号に応じたモード設定信号を生成して、後述する制御回路３２に出力する。
このタグ３１は、電力生成部３１１と、通信部３１２と、記憶部３１３と、制御部３１４とを備えている。
【００２７】
電力生成部３１１は、本発明の電源部および領域検出手段に相当し、電波出力装置２から通信部３１２を介して受信した電波信号から、タグ３１の駆動電力を生成するものである。この電力生成部３１１により生成した駆動電力は、通信部３１２、記憶部３１３および制御部３１４に供給される。
通信部３１２は、本発明のモード切替信号受信手段に相当し、電波出力装置２から送信された電波信号を受信する。この通信部３１２で受信された電波信号から、携帯電話機３の通信待機モードを切り替えるモード切替信号を抽出し、当該モード切替信号を内部処理可能な制御信号にデジタル変換して、当該制御信号を制御部３１４に出力する。
【００２８】
記憶部３１３は、フラッシュＲＯＭ等により構成されている。この記憶部３１３には、モード切替信号と、通信待機モードの設定情報とが対応したモード参照テーブルが記憶されている。
制御部３１４は、タグ３１全体を制御するとともに、通信部３１２から入力する制御信号に基づいて、制御回路３２にどの通信待機モードに切り替えるかを指示するモード設定信号を生成出力する。具体的に、制御部３１４は、通信部３１２から入力する制御信号に基づいて記憶部３１３に記憶されたモード参照テーブルを参照し、当該制御信号に対応する設定情報を取得して通信待機モード設定情報を生成する。
このように、タグ３１の制御部３１４が、通信部３１２で抽出したモード切替信号に応じたモード設定信号を生成することにより、処理の分散化を図ることができる。また、モード設定信号は、記憶部３１３に記憶されたモード参照テーブルを参照して生成されるので、通信待機モードが複数設けられている場合でも、迅速に、かつ、適切にモード設定信号を生成することができる。さらに、参照テーブルの項目を増やすことにより、通信待機モードが増大した場合でも対応することができる。
【００２９】
制御回路３２は、本発明の制御手段に相当し、ＣＰＵ（Central Processing Unit）等から構成され、携帯電話機３全体を制御する。また、この制御回路３２は、タグ３１から入力するモード設定信号の入力に伴って、当該モード設定信号が示す通信待機モードを設定する。
この制御回路３２は、主制御部３２１と、通話制御部３２２と、電源制御部３２３と、表示制御部３２４と、モード制御部３２５と、モード設定部３２６と、モード記憶部３２７とを機能的に備えている。
【００３０】
主制御部３２１は、ＲＯＭ４１に記憶されたプログラム等に基づいて、制御回路３２全体を制御する。具体的には、タグ３１および操作パネル３３から入力するモード設定信号および他の制御信号を処理して、制御回路３２を構成する各機能部３２１〜３２７に動作を指示する指示信号を出力する。すなわち、各機能部３２１〜３２７は、主制御部３２１の制御下で動作が行われる。
通話制御部３２２は、携帯電話機３での通話を制御するものである。この通話制御部３２２は、通信部３４から入力する、電波信号に基づく信号から音声信号を抽出し、当該音声信号を処理して音声出力部３６に出力する。また、音声取得部３５から入力する音声信号を処理して、通信部３４に出力する。
【００３１】
電源制御部３２３は、電源部３７からの電源供給を制御する。例えば、電源制御部３２３は、操作パネル３３の電源キーが入力されるなどしてスタンバイ状態に遷移する場合には、携帯電話機３の各電子部品への電源部３７からの電力供給を制限する。
表示制御部３２４は、画像表示部３８に出力する画像情報を生成する。具体的に、表示制御部３２４は、ＲＯＭ４１に記憶された画像や文字のテンプレートから表示画像を生成する。
【００３２】
モード制御部３２５は、通信待機時の動作状態、すなわち、通信待機モードに基づいて、振動発生部３９および着信音出力部４０の動作を制御する。具体的に、モード制御部３２５は、通信要求があった場合に主制御部３２１の指示により、ＲＯＭ４１に記憶され現在設定されている通信待機モードを参照して、当該通信待機モードに応じた動作制御を行う。例えば、現在設定されている通信待機モードが、ノーマルモードであった場合には、モード制御部３２５は、振動発生部３９のモータを駆動させて振動を発生させるとともに、着信音出力部４０により着信音を出力させる。また、マナーモードであった場合には、振動発生部３９のモータにより振動を発生させる一方で、着信音出力部４０による着信音の出力を規制する。
【００３３】
モード設定部３２６は、本発明のモード設定手段に相当し、ＲＯＭ４１に記憶された通信待機モードの種別から、主制御部３２１を介してタグ３１または操作パネル３３から入力するモード設定信号に応じた通信待機モードに設定する。具体的に、モード設定部３２６は、ＲＯＭ４１に記憶され現在設定されている通信待機モードを、モード設定信号に応じた通信待機モードに更新する。
また、モード設定部３２６は、本発明のモード復帰手段に相当し、主制御部３２１からの指示により、現在設定されている通信待機モードを、ＲＯＭ４１に記憶された更新前の通信待機モードに復帰する。
モード記憶部３２７は、本発明のモード保持手段に相当し、後述する通信待機モード設定処理ＳＡにおいて、モード設定信号が入力した時点、すなわち、当該信号が入力して、モード設定部３２６により通信待機モードの変更がなされるまで設定されていた通信待機モードの種別を、ＲＯＭ４１に記憶させる。
これらモード設定部３２６およびモード記憶部３２７により、確実に、変更前の通信待機モードに復帰することができ、携帯電話機３の利便性を向上させることができる。
【００３４】
（４）通信待機モード設定処理ＳＡ
図２は、携帯電話機３の通信待機モード設定処理ＳＡの処理フローを示す図である。具体的に、図２は、電波出力装置２から送信される電波信号により、携帯電話機３の通信待機モードを設定する処理の処理フローである。
以下に、電波出力装置２からの電波信号を受信した場合の携帯電話機３の動作を説明する。なお、本実施形態では、電波出力装置２は、モード切替信号を含む電波信号を携帯電話機３に出力している。
【００３５】
携帯電話機３では、図２に示すように、電波出力装置２からモード切替信号を含む電波信号が出力され（処理ＳＡ０１）、タグ３１の通信部３１２が当該電波信号を受信すると、タグ３１の電力生成部３１１が、当該電波信号から駆動電力を生成する（処理ＳＡ１１）。この生成された駆動電力は、記憶部３１３および制御部３１４に供給され、当該制御部３１４により、受信した電波信号から抽出されたモード切替信号の種別判定が行われる（処理ＳＡ１２）。この種別判定は、制御部３１４がＲＯＭ４１に記憶されたモード参照テーブルを参照して行われる。そして、この判定結果から、切り替える通信待機モードを指定した、制御回路３２で処理可能なモード設定信号を制御部３１４が生成して、当該信号を制御回路３２に出力する（処理ＳＡ１３）。これにより、タグ３１における通信待機モード設定処理ＳＡを終了する。
【００３６】
一方、制御回路３２は、携帯電話機３の装置全体の制御を実行するとともに、タグ３１からのモード設定信号の入力を監視している（処理ＳＡ２１）。また、制御回路３２の主制御部３２１は、制御信号の入力があった場合には、当該制御信号がモード設定信号であるか否かを判定する（処理ＳＡ２２）。
ここで、モード設定信号の入力を検出しなかった場合、主制御部３２１は、処理ＳＡ２１に戻り、信号入力の監視を継続する。
また、モード設定信号の入力を検出した場合、主制御部３２１は、モード記憶部３２７に制御信号を出力し、当該モード記憶部３２７は、現在設定されている通信待機モードの種別をＲＯＭ４１に記憶させる（処理ＳＡ２３）。
【００３７】
処理ＳＡ２３の後、主制御部３２１は、タグ３１からのモード設定信号の入力を監視し（処理ＳＡ２４）、当該信号が継続して入力しているか否かを判定する（処理ＳＡ２５）。
ここで、継続して入力していると判定した場合、主制御部３２１は、モード設定信号とともに制御信号をモード設定部３２６に出力する。そして、これら信号が入力したモード設定部３２６は、入力したモード設定信号が指定する通信待機モードの種別を判定し（処理ＳＡ２６）、当該信号が示す通信待機モードと、現在設定されている通信待機モードとが一致するか否かを判定する（処理ＳＡ２７）。
【００３８】
この判定処理ＳＡ２７において、それぞれの通信待機モードが一致すると判定した場合、モード設定部３２６は、新たな設定処理を行わずに、主制御部３２１に処理終了を示す制御信号を出力し、当該主制御部３２１は、処理ＳＡ２４に戻ってモード設定信号の入力監視を継続する。
また、それぞれの通信待機モードが一致しないと判定した場合、モード設定部３２６は、モード設定信号が指定する通信待機モードに、ＲＯＭ４１に記憶され現在設定されている通信待機モードを変更する（処理ＳＡ２８）。この後、モード設定部３２６は、主制御部３２１に処理終了を示す制御信号を出力し、当該信号が入力した主制御部３２１は、処理ＳＡ２４を実行して、モード設定信号の入力状態を監視する。
【００３９】
一方、処理ＳＡ２５で、タグ３１からのモード設定信号の入力が検出されなくなった場合、主制御部３２１は、モード設定信号が入力しなくなった旨の信号をモード設定部３２６に出力する。そして、当該信号が入力したモード設定部３２６は、ＲＯＭ４１を参照して、処理ＳＡ２３でモード記憶部３２７により記憶されたモード設定信号の入力当初の通信待機モードの種別を取得する（処理ＳＡ２９）。この後、モード設定部３２６は、現在設定されている通信待機モードを、取得した通信待機モードに設定して、モード設定信号の入力当初の通信待機モードに復帰する（処理ＳＡ３０）。この後、制御回路３２は、当該制御回路３２における通信待機モード設定処理ＳＡを終了する。
これにより、電波出力装置２からの電波信号が届く領域、すなわち、通信待機モードが指定された領域から携帯電話機３が外れた場合に、当該領域内に携帯電話機３が入る前の通信待機モードに自動的に復帰することができる。従って、使用者が通信待機モードを戻す手間を省略でき、携帯電話機３の操作性および利便性を向上することができる。
【００４０】
以上のような本実施形態の携帯電話システム１によれば、以下の効果を奏することができる。
すなわち、携帯電話機３のタグ３１は、電波出力装置２からの電波信号を受信して駆動する。このため、通信待機モードが指定された領域を確実に検出することができ、また、当該電波信号に含まれるモード切替信号を確実に受信することができる。そして、このモード切替信号を受信したタグ３１は、当該信号が示す通信待機モードに携帯電話機３の通信待機モードを切り替えるように設定させるモード設定信号を生成して、制御回路３２に出力する。この制御回路３２のモード設定部３２６は、入力したモード設定信号に基づいて、ＲＯＭ４１に記憶され現在設定されている通信待機モードを切り替える。
これによれば、モード切替信号を含む電波信号が受信可能な領域内に携帯電話機３が侵入すると自動的に通信待機モードを切り替えることができるので、使用者がわざわざ通信待機モードを設定する手間を省くことができるとともに、設定し忘れを無くすことができる。従って、携帯電話機の通信待機モードを確実に、かつ、簡易に設定することができる。
【００４１】
〔２．第２実施形態〕
次に、本発明の第２実施形態に係る携帯電話システムについて説明する。
第２実施形態に係る携帯電話システムは、前述の第１実施形態に係る携帯電話システム１と同様の構成を備えるが、携帯電話機に設けられたＲＦＩＤタグが電波出力装置に対して要求信号を送信する点において相違する。なお、以下の説明では、既に説明した部分と同一または略同一である部分については、同一の符号を付して説明を省略する。
【００４２】
本実施形態の携帯電話システムは、前述の第１実施形態と同様に、電波出力装置２と、携帯電話機３とを備えている。
この携帯電話システムにおいては、携帯電話機３の種別に応じて通信待機モードのモード切替を実行すべく、携帯電話機３から電波出力装置２にモード切替信号を要求する要求信号を送信する。
以下に、本実施形態の携帯電話システムにおける通信待機モード設定処理ＳＢを説明する。
【００４３】
図３は、本実施形態の携帯電話システムにおける通信待機モード設定処理ＳＢの処理フローを示す図である。
通信待機モード設定処理ＳＢでは、まず、電波出力装置２が、携帯電話機３に対して電波信号を送信する（処理ＳＢ０１）。なお、この電波信号には、モード切替を行うべき通信待機モードを指定するモード切替信号が含まれていない。
一方、携帯電話機３のＲＦＩＤタグ３１は、電波出力装置２からの電波信号を受信して駆動電力を生成する（処理ＳＢ１１）。この生成された駆動電力は、タグ３１の制御部３１４に供給され、制御部３１４は、通信部３１２を介して、電波出力装置２にモード切替信号を要求する要求信号を電波信号として送信し（処理ＳＢ１２）、電波出力装置２からモード切替信号が入力するのを監視する（処理ＳＢ１３）。なお、この要求信号には、当該要求信号を出力した携帯電話機３の識別情報および機種情報等が含まれている。この要求信号の送信は、電波出力装置２から電波信号が入力し続けている間、継続する。
【００４４】
処理ＳＢ０１の後、電波出力装置２は、携帯電話機３から要求信号が入力したか否かを判定し（処理ＳＢ０２）、当該要求信号の入力が検出されなかった場合は、処理ＳＢ０１に戻って、電波信号の送信を継続する。
一方、携帯電話機３からの要求信号の入力が検出された場合、電波出力装置２の制御部２２は、要求信号に含まれる携帯電話機３の種別を判定する（処理ＳＢ０３）。そして、制御部２２は、当該種別に応じたモード切替信号を生成して、識別情報を基にして要求信号を出力した携帯電話機３に対してのみ、通信部２１を介して送信出力する（処理ＳＢ０４）。なお、電波出力装置２は、携帯電話機３からの要求信号を受信し続ける間は、モード切替信号および電波信号を送信し続ける。
【００４５】
処理ＳＢ１３にて、信号入力監視中の携帯電話機３のタグ３１は、電波出力装置２からモード切替信号が入力したか否かを判定する（処理ＳＢ１４）。なお、この処理ＳＢ１４では、モード切替信号とともに送信される識別情報から、当該モード切替信号が要求信号を送信した自己である携帯電話機３に対して送信されたものであるか否かも合わせて判定する。
この処理ＳＢ１４で、当該信号の入力が検出されなかった場合、タグ３１は、処理ＳＢ１３に戻り、信号入力監視を継続する。
一方、自己に送信されたモード切替信号の入力が検出された場合、タグ３１の制御部３１４は、処理ＳＡ１２，ＳＡ１３と同様に、入力したモード切替信号を判定し（処理ＳＢ１５）、当該モード切替信号に基づいてモード設定信号を生成して、制御回路３２に出力する（処理ＳＢ１６）。これら処理ＳＢ１５，ＳＢ１６は、電波出力装置２からモード切替信号が入力し続けている間は継続して実行される。
【００４６】
このようにして出力されたモード設定信号が入力した制御回路３２は、当該モード設定信号に基づいて、現在設定されている通信待機モードを変更する。また、タグ３１からモード設定信号の入力が検出されなくなった場合には、ＲＯＭ４１に保持していた通信待機モードに復帰する。なお、このような制御回路３２の処理は、第１実施形態で示した処理ＳＡ２１〜ＳＡ３０と同様であるので、説明を省略する。
【００４７】
以上のような本発明の第２実施形態の携帯電話システムによれば、前述の第１実施形態の携帯電話システム１と同様の効果を奏することができるほか、以下のような効果を奏することができる。
すなわち、本実施形態の携帯電話システムでは、電波出力装置２からの電波信号を受信した携帯電話機３のタグ３１は、当該電波出力装置２に対して、通信待機モードを切り替えるためのモード切替信号を要求する要求信号を送信する。そして、電波出力装置２は、当該要求信号に含まれる携帯電話機３の機種情報に基づいて通信待機モードを設定させるモード切替信号を生成し、同様に要求信号に含まれる携帯電話機３の識別情報に基づいて、要求信号を出力した携帯電話機３に、生成したモード切替信号を送信する。
これによれば、携帯電話機３の機種および個々の携帯電話機３に応じた通信待機モードの設定を行うことができる。従って、特定の携帯電話機３の通信待機モードを変更させる等、携帯電話システムの汎用性を拡大することができるとともに、携帯電話機３の通信待機モードの設定を一層確実に行うことができる。
【００４８】
〔３．第３実施形態〕
次に、本発明の第３実施形態に係る携帯電話システムについて説明する。
第３実施形態に係る携帯電話システムは、前述の第１実施形態に係る携帯電話システム１と同様の構成を備えるが、携帯電話機がモード切替信号の受信回数を計数し、当該計数結果に応じて通信待機モードの設定を変更する点において相違する。なお、以下の説明では、既に説明した部分と同一または略同一である部分については、同一の符号を付して説明を省略する。
【００４９】
図４は、本発明の第３実施形態に係る携帯電話システム１Ａの構成を示すブロック図である。
本実施形態の携帯電話システム１Ａは、図４に示すように、電波出力装置２と、携帯電話機３Ａとを備えている。このうち、電波出力装置２は、映画館等の扉２Ｂに設けられている。
すなわち、本実施形態の携帯電話システム１Ａでは、携帯電話機３Ａは、映画館等のモード指定領域内の入場する際に、電波出力装置２から１度だけモード切替信号を含む電波信号を受信し、当該モード指定領域を退出する際に、電波出力装置２から再度、当該電波信号を受信する構成とされている。そして、携帯電話機３Ａは、入場の際に受信するモード切替信号に応じて通信待機モードを変更し、退出の際に受信するモード切替信号に応じて変更前まで設定されていた通信待機モードに復帰するように構成されている。
なお、本実施形態では、映画館の扉２Ｂに電波出力装置２が設けられているため、当該映画館内がモード指定領域となるが、これに限らず、モード切替信号を含む電波信号を受信してから再度受信するまでの携帯電話機３Ａの移動可能領域がモード指定領域となる。
【００５０】
携帯電話機３Ａは、ＲＦＩＤ３１、制御回路３２Ａ、操作パネル３３、通信部３４、音声取得部３５、音声出力部３６、電源部３７、画像表示部３８、振動発生部３９、着信音出力部４０、ＲＯＭ４１およびＲＡＭ４２を備えている。
このうち、制御回路３２Ａは、前述の制御回路３２と同様に、主制御部３２１、通話制御部３２２、電源制御部３２３、表示制御部３２４、モード制御部３２５、モード設定部３２６およびモード記憶部３２７を備え、これらの他に、信号入力計数部３２８を備えている。
【００５１】
信号入力計数部３２８は、本発明の計数手段に相当し、タグ３１から制御回路３２Ａに入力したモード設定信号の入力回数を計数し、ＲＯＭ４１に記憶する。具体的には、信号入力計数部３２８は、モード設定信号が入力するごとに、ＲＯＭ４１に記憶されている信号入力回数に１を加算する。
モード設定部３２６は、タグ３１からモード設定信号が入力すると、信号入力計数部３２８により加算された後の信号入力回数を参照して、当該入力回数に応じて通信待機モードを設定する。具体的には、モード設定部３２６は、入力回数が奇数だった場合に、入力するモード設定信号に応じた通信待機モードに設定し、入力回数が偶数だった場合に、モード記憶部３２７により記憶された通信待機モードの種別に応じた通信待機モードに設定する。
【００５２】
以下に、本実施形態の携帯電話システム１Ａにおける携帯電話機３Ａの通信待機モード設定処理ＳＣについて説明する。
図５は、携帯電話機３Ａの通信待機モード設定処理ＳＣの処理フローを示す図である。
通信待機モード設定処理ＳＣでは、まず、携帯電話機３Ａのタグ３１は、電波出力装置２からモード切替信号を含む電波信号が出力されると（処理ＳＣ０１）、当該電波信号を受信して、電力生成部３１１により駆動電力を生成する（処理ＳＣ１１）。そして、タグ３１の通信部３１２および制御部３１４は、受信した電波信号からモード切替信号を抽出し、当該モード切替信号が指定する通信待機モードの種別を、記憶部３１３を参照して判定する（処理ＳＣ１２）。この後、制御部３１４は、当該判定結果に基づいて、制御回路３２Ａに、モード切替信号によって指定されて通信待機モードを設定させるモード設定信号を生成して、当該制御回路３２Ａに出力する（処理ＳＣ１３）。この処理ＳＣ２３で、タグ３１における通信待機モード設定処理ＳＣは終了する。
【００５３】
一方、制御回路３２Ａは、タグ３１からの信号入力を監視しており（処理ＳＣ２１）、タグ３１からモード設定信号が入力したか否かを判定する（処理ＳＣ２２）。
ここで、モード設定信号の入力が検出されない場合には、制御回路３２Ａの主制御部３２１は、処理ＳＣ２１に戻り、信号入力監視を継続する。
また、モード設定信号の入力が検出された場合には、主制御部３２１は、信号入力計数部３２８およびモード設定部３２６に制御信号を出力する。ここで、当該制御信号が入力した信号入力計数部３２８は、モード設定部３２６による処理に先駆けて、ＲＯＭ４１に記憶された信号入力回数に１を加算する（処理ＳＣ２３）。そして、制御信号が入力したモード設定部３２６は、ＲＯＭ４１に記憶された信号入力回数を判定して（処理ＳＣ２４）、当該信号入力回数が奇数か偶数かを判定する（処理ＳＣ２５）。
【００５４】
処理ＳＣ２４における判定処理において、信号入力回数が奇数であると判定されると、モード設定部３２６は、モード記憶部３２７に制御信号を出力し、当該モード記憶部３２７により、現在設定されている通信待機モードの種別をＲＯＭ４１に記憶させる（処理ＳＣ２６）。
この後、モード設定部３２６は、モード設定信号が指定する通信待機モードと、ＲＯＭ４１に記憶され現在設定されている通信待機モードとを比較し（処理ＳＣ２７）、それぞれが一致するか否かを判定する（処理ＳＣ２８）。
【００５５】
この処理ＳＣ２８において、それぞれが一致すると判定した場合、モード設定部３２６は、通信待機モードの切替を行わず、主制御部３２１に処理終了を示す制御信号を出力し、そのまま制御回路３２における通信待機モード設定処理ＳＣを終了する。
一方、それぞれが一致しないと判定した場合、モード設定部３２６は、モード設定信号が指定する通信待機モードに、現在設定されている通信待機モードを切り替える（処理ＳＣ２９）。この処理ＳＣ２９の後、モード設定部３２６は、主制御部３２１に処理終了を示す制御信号を出力し、制御回路３２における通信待機モード設定処理ＳＣを終了する。
【００５６】
一方、処理ＳＣ２５の判定処理において、モード設定部３２６が、信号入力回数が偶数であると判定した場合、当該モード設定部３２６は、処理ＳＣ２６においてＲＯＭ４１に記憶された変更前の通信待機モードの種別を取得し（処理ＳＣ３０）、当該種別に基づいて、ＲＯＭ４１に記憶され現在設定されている通信待機モードを復帰させる（処理ＳＣ３１）。この処理ＳＣ３１の後、モード設定部３２６は、主制御部３２１に処理終了を示す制御信号を出力し、制御回路３２における通信待機モード設定処理ＳＣを終了する。
【００５７】
以上のような本実施形態の携帯電話システム１Ａによれば、前述の第１実施形態で示した携帯電話システム１と同様の効果を奏することができる。
すなわち、電波出力装置２から送信されたモード切替信号を含む電波信号を携帯電話機３Ａのタグ３１が受信して、当該モード切替信号に基づくモード設定信号がタグ３１から制御回路３２Ａに出力される。当該設定信号が入力した制御回路３２Ａのモード設定部３２６は、信号入力回数が奇数の場合、モード設定信号が指定する通信待機モードに自動的に設定する。これによれば、使用者の設定操作を必要とせずに、簡易に、かつ、確実に、モード指定領域で指定された通信待機モードに設定することができる。
【００５８】
また、本実施形態の携帯電話システム１Ａでは、電波出力装置２からのモード切替信号の受信に伴ってタグ３１から制御回路３２Ａに入力するモード設定信号の入力回数に応じて、通信待機モードの設定処理を変えている。すなわち、映画館等のモード指定領域内に入る際の電波信号の受信に伴って、当該モード指定領域で指定される通信待機モードに設定され、当該モード指定領域から出る際の電波信号の受信に伴って、モード指定領域に入るまで設定されていた通信待機モードに復帰することができる。
これによれば、モード指定領域が広く、ＲＦＩＤタグによる通信範囲を越えるような場合、すなわち、携帯電話機３Ａと電波出力装置２とが必ずしも常に通信できない場合でも、簡単かつ確実に携帯電話機３Ａの通信待機モードを指定のモードに設定することができる。
また、信号入力回数が偶数の場合には、奇数である場合に設定された通信待機モードの前に設定されていた通信待機モードに自動的に復帰させることができる。従って、携帯電話機３Ａの利便性を一層向上することができる。
【００５９】
〔４．実施形態の変形〕
本発明は前述の実施形態に限定されるものではなく、本発明の目的を達成できる範囲での変形、改良等は本発明に含まれるものである。
例えば、前記第１および第２実施形態では、電波出力装置２は、電車の座席２Ａ内に設置されるとし、前記第３実施形態では、映画館等の扉２Ｂに設置されるとしたが、本発明はこれらに限定されず、他の場所に利用してもよい。例えば、電波出力装置２を車内に設置するように構成してもよい。この場合、通信待機モードをドライブモードに設定するようにするとしてもよい。
【００６０】
前記各実施形態では、通信待機モードの設定変更に用いられる電波信号と、基地局との通信に用いられる電波信号とは別系統としたが、本発明は同系統としてもよい。また、前記各実施形態では、無線ＩＣチップであるＲＦＩＤタグ３１で受信可能な電波信号を用いたが、無線ＬＡＮ等で用いられる帯域の電波信号としてもよい。
【００６１】
前記各実施形態では、モード切替信号を受信する手段としてＲＦＩＤタグ３を用いたが、本発明はこれに限らず、前述のように無線ＬＡＮで電波出力装置２と通信するように構成してもよい。さらに、ＲＦＩＤタグは、前記各実施形態では、受信した電波信号から駆動電力を生成するパッシブタグで構成したが、アクティブタグで構成してもよい。なお、パッシブタグで構成し、また、モード切替信号を、当該パッシブタグを駆動させる電波信号に重畳させて送信すれば、電波信号受信による駆動電力生成とモード切替信号の受信とを関連付けて処理することができるので、二重のチェックとなり、モード設定時における誤動作を抑えることができる。
【００６２】
前記第３実施形態では、モード切替信号の入力に伴って、タグ３１から制御回路３２Ａに入力するモード設定信号の入力回数が奇数の場合に、当該設定信号に基づく通信待機モードの設定処理を行い、偶数の時に復帰させるとしたが、本発明はこれに限らず、奇数の場合と偶数の場合とを逆にしてもよい。また、これらに限らず、３以上の通信待機モードが、入力回数に応じて順次切り替わるように構成してもよい。
【００６３】
前記各実施形態では、携帯電話機３，３Ａは、モード切替信号に指定された通信待機モードに設定するとしたが、本発明はこれに限らず、特定の帯域の電波信号が受信されると、特定の通信待機モードに設定するように構成してもよい。
【００６４】
前記第１および第２実施形態では、タグ３１から入力するモード設定信号が検出されなくなると、すぐに主制御部３２１が、モード設定信号の入力が無くなった旨の制御信号をモード設定部３２６に出力し、当該モード設定部３２６は、当該制御信号の入力に応じて即座に通信待機モードを変更するとしたが、本発明はこれに限らない。例えば、主制御部３２１が、モード設定信号の入力が検出されなくなってからの時間を計測し、当該時間が所定時間以上となった場合に、モード設定信号の入力が無くなった旨の制御信号をモード設定部３２６に出力するようにしてもよい。このような場合、電波出力装置２からの電波信号の受信状態により、当該電波出力装置２からの電波信号の入力が短い時間遮断された場合でも、変更した通信待機モードの設定を継続することができる。このような効果は、電波状態が良好でない場所においては特に有効である。
【産業上の利用可能性】
【００６５】
本発明は、携帯電話機、および、携帯電話機のマナーモード等の通信待機モードを設定するシステムとして利用でき、着信音等の発生が好ましくない公共の場等に好適に利用することができる。
【図面の簡単な説明】
【００６６】
【図１】本発明の第１実施形態に係る携帯電話システムの構成を示すブロック図。
【図２】前記実施形態における携帯電話機の通信待機モード設定処理の処理フローを示す図。
【図３】本発明の第２実施形態に係る携帯電話システムにおける携帯電話機の通信待機モード設定処理の処理フローを示す図。
【図４】本発明の第３実施形態に係る携帯電話システムの構成を示すブロック図。
【図５】前記実施形態における携帯電話機の通信待機モード設定処理の処理フローを示す図。
【符号の説明】
【００６７】
１，１Ａ…携帯電話システム（通信待機モード設定システム）、２…電波出力装置、３，３Ａ…携帯電話機、２１…通信部（電波出力装置の通信部）、２２…制御部（電波出力装置の制御部）、３１…ＲＦＩＤタグ（無線ＩＣチップ）、３２，３２Ａ…制御回路（制御手段）、３４…通信部（電波受信手段、電波送信手段）、３６…音声出力部（音声出力手段）、３５…音声取得部（音声取得手段）、３９…振動発生部（報知手段）、４０…着信音出力部（報知手段）、３１１…電力生成部（電源部、領域検出手段）、３１２…通信部（モード切替信号受信手段）、３１３…記憶部、３１４…制御部、３２６…モード設定部（モード設定手段、モード復帰手段）、３２７…モード記憶部（モード保持手段）、３２８…信号入力計数部（計数手段）。
【図１】
2006332804.tif 000003
【図２】
2006332804.tif 000004
【図３】
2006332804.tif 000005
【図４】
2006332804.tif 000006
【図５】
2006332804.tif 000007